(57)【要約】【課題】本発明は、警報器を取付面に取り付けるときに必要な取付空間を小さくすることができる警報器を提供する。【解決手段】警報器１は、取付面Ｗに取り付けられる箱状のケース１０と、ケース１０に収容される配線板２０と、配線板２０の取付面Ｗ側の面に実装される複数の電子部品３０と、配線板２０の取付面Ｗ側の面に実装される端子台４０と、を備える。ケース１０は、取付面Ｗ側において取付面Ｗと対向する外壁１１を有している。外壁１１には配線板Ｗ側に凹む凹状壁部分１１２が設けられ、凹状壁部分１１２には開口１４が形成されている。また、端子台４０は、開口１４から露出するように設けられている。【選択図】図５
2015219704.tif 000002
【特許請求の範囲】
【請求項１】
取付面に取り付けられる箱状のケースと、
前記ケースに収容される配線板と、
前記配線板における前記取付面側の面に実装される複数の電子部品と、
前記配線板における前記取付面側の面に実装される端子台と、を備え、
前記ケースにおける前記取付面と対向する外壁には、前記配線板側に凹む凹状壁部分が設けられ、
前記凹状壁部分には、前記端子台が露出される開口が形成されている
ことを特徴とする警報器。
【請求項２】
前記配線板の前記取付面側の面において、
前記取付面側から見て前記凹状壁部分との非重複領域に、前記複数の電子部品の全てが実装されている、又は、
前記取付面側から見て前記凹状壁部分との重複領域に、前記複数の電子部品のうちの比較的背の低い電子部品が実装され、かつ、前記非重複領域に、比較的背の高い電子部品を含む前記複数の電子部品が実装されている
ことを特徴とする請求項１に記載の警報器。
【発明の詳細な説明】
【技術分野】
【０００１】
本発明は、部品が実装される配線板を内部に収容して取付面に取り付けられる警報器に関する。
【背景技術】
【０００２】
従来、ガス漏れ等を検知して警報を発するための警報器が壁面等の取付面に取り付けられている。例えば、従来より用いられている警報器としては、図８、図９に示す警報器７００がある。警報器７００は、電子部品等が実装される配線板（不図示）と、配線板を内部に収容して箱状のケース７１０と、を有しており、取付面Ｗに取り付けられる。配線板には、複数の電子部品と、端子台７２０と、が実装されており、端子台７２０は、図９に示すように、ケース７１０から取付面Ｗ側に露出するように設けられている。端子台７２０には、取付面Ｗから室内側に導出された信号線や電源線等の電線Ｃが接続されている。
【発明の概要】
【発明が解決しようとする課題】
【０００３】
このような警報器７００においては、端子台７２０が警報器７００から取付面Ｗ側に突出していることから、端子台７２０に接続された電線Ｃが警報器７００よりも取付面Ｗ側に位置することとなり、警報器７００を取付面Ｗに取り付けるときに、電線Ｃとの接続部分や電線Ｃの余剰部分を収容する空間が必要となる。このことから、図８、図９に示すように、警報器７００を取付面Ｗに取り付ける場合に、取付面Ｗよりも室内側に設けられた取付部Ｆ１を有する取付枠Ｆ等の取付用部材を用いることが考えられる。これにより、警報器７００と取付面Ｗとの間に電線Ｃを収容するための施工空間を確保することができる。
【０００４】
しかしながら、取付用部材と警報器７００とを取付面Ｗに取り付けたときにこれらが占める取付空間が大きくなってしまうという問題があった。
【０００５】
従って、本発明は、上記のような問題点に着目し、警報器を取付面に取り付けるときに必要な取付空間を小さくすることができる警報器を提供することを目的とする。
【課題を解決するための手段】
【０００６】
上記課題を解決するために、請求項１に記載された発明は、取付面に取り付けられる箱状のケースと、前記ケースに収容される配線板と、前記配線板における前記取付面側の面に実装される複数の電子部品と、前記配線板における前記取付面側の面に実装される端子台と、を備え、前記ケースにおける前記取付面と対向する壁部には、前記配線板側に凹む凹状壁部分が設けられ、前記凹状壁部分には、前記端子台が露出される開口が形成されていることを特徴とする警報器である。
【０００７】
請求項２に記載された発明は、請求項１に記載された発明において、前記配線板の前記取付面側の面において、前記取付面側から見て前記凹状壁部分との非重複領域に、前記複数の電子部品の全てが実装されている、又は、前記取付面側から見て前記凹状壁部分との重複領域に、前記複数の電子部品のうちの比較的背の低い電子部品が実装され、かつ、前記非重複領域に、比較的背の高い電子部品を含む前記複数の電子部品が実装されていることを特徴とするものである。
【発明の効果】
【０００８】
請求項１に記載された発明によれば、複数の電子部品と、端子台と、が配線板の取付面側の面に実装され、ケースにおける取付面側の面と対向する外壁には、配線板側に凹む凹状壁部分が設けられ、凹状壁部分には、端子台が露出される開口が形成されている。このことから、警報器よりも取付面側に空間を確保することなく、例えば、端子台に接続された電線の余剰部分などを、凹状壁部分により取付面側に形成された凹状空間に収容することができ、警報器の取り付けに必要な取付空間を小さくすることができる。
【０００９】
請求項２に記載された発明によれば、記配線板の前記取付面側の面において、前記取付面側から見て前記凹状壁部分との非重複領域に、前記複数の電子部品の全てが実装されている、又は、前記取付面側から見て前記凹状壁部分との重複領域に、前記複数の電子部品のうちの比較的背の低い電子部品が実装され、かつ、前記非重複領域に、比較的背の高い電子部品を含む前記複数の電子部品が実装されている。このことから、凹状壁部分をより配線板近傍まで凹ませて形成することができ、凹状壁部分により取付面側に形成される空間がより大きくなる。従って、例えば、端子台に接続された電線の余剰部分などを、凹状壁部分により取付面側に形成された凹状空間により確実に収容することができる。
【図面の簡単な説明】
【００１０】
【図１】本発明の一実施形態にかかる警報器を示す分解斜視図である。
【図２】図１に示されたケース本体及び配線板の取付面側を示す斜視図である。
【図３】図１に示された警報器が組み立てられた状態を示す斜視図である。
【図４】図３に示された警報器を取付面側から見た平面図である。
【図５】図３の矢視Ａ−Ａ線断面を示す断面図である。
【図６】図１に示された警報器の取り付け方法における変形例を示す斜視図である。
【図７】図１に示された警報器の取り付け方法における他の変形例を示す斜視図である。
【図８】従来の警報器を示す斜視図である。
【図９】図８に示された従来の警報器の取付面側を示す図である。
【発明を実施するための形態】
【００１１】
本発明の一実施形態にかかる警報器を図１〜５参照して説明する。
【００１２】
本実施形態の警報器１は、室内の壁面等の取付面Ｗに取り付けられ、ガス漏れ等を検知して警報を発する警報器として用いられるものである。なお、本発明の警報器としては、検知部と警報部とを一体に備える一体型警報機でもよく、検知部と警報部とを別体に備える分離型警報機でもよい。また、本実施形態において、上下方向は室内の上下方向に対応する。また、警報器１の幅方向は、図１に示した矢印Ｘの方向とする。
【００１３】
警報器１は、図１、図２に示すように、取付面Ｗに取り付けられる箱状のケース１０と、ケース１０に収容される配線板２０と、配線板２０に実装される複数の電子部品３０と、配線板２０に実装される端子台４０と、を備えている。
【００１４】
ケース１０は、取付面Ｗ側に配置されるケース本体１０ａと、ケース本体１０ａを室内側から覆う蓋１０ｂと、を有している。
【００１５】
ケース本体１０ａは、室内側（取付面Ｗ側とは反対側）が開いた箱状に形成されており、取付面Ｗと対向する平面視矩形状の外壁１１と、外壁１１の外縁から蓋１０ｂ側に立設する本体側周壁１２と、本体側周壁１２の幅方向中央付近の上方から突出して設けられた固定部１３と、を有している。
【００１６】
外壁１１には、取付面Ｗ側に位置して取付面Ｗと平行かつ対向する逆Ｕ字状の対向壁部分１１１と、対向壁部分１１１から配線板２０側に凹む凹状壁部分１１２と、が設けられている。凹状壁部分１１２は、対向壁部分１１１の逆Ｕ字状に形成された内側の端縁から取付面Ｗとの直交方向に延びる側壁部１１２ａと、側壁部１１２ａの配線板２０側の端縁に連なり、配線板２０近傍に設けられて、取付面Ｗと平行に設けられた配線板２０と平行な底壁部１１２ｂと、を有している。また、底壁部１１２ｂの上部には、取付面Ｗとの直交方向に貫通した開口１４が形成されている。
【００１７】
本体側周壁１２には、幅方向における両端において、係止爪１２１が設けられている。固定部１３には、図３に示すように、ねじＮを挿通させて警報器１を取付面Ｗに固定するための固定穴１３１が取付面Ｗの鉛直方向に貫通して設けられている。なお、本実施形態においては、警報器１が取付面Ｗに直接取り付けられているが、図５、図６に示すように、取付枠を介して取り付けてられていてもよい。このとき、係止爪１２１は取付枠との係止に用いられる。
【００１８】
蓋１０ｂは、ケース本体１０ａと組み合わされて箱状になるように形成されており、室内側に配置される平面視矩形状の前面壁１５と、前面壁１５の外縁からケース本体１０ａ側に立設した蓋側周壁１６と、蓋側周壁１６の内周側に設けられ、蓋側周壁１６からケース本体１０ａ側に立設した嵌合壁１７と、を有して形成されている。
【００１９】
蓋１０ｂは、嵌合壁１７の外面がケース本体１０ａの本体側周壁１２の内面に沿うようにケース本体１０ａに嵌められる。このとき、図３に示すように、ケース本体１０ａと蓋１０ｂとは、本体側周壁１２の外面と蓋側周壁１６の外面とが面一になるように形成されている。
【００２０】
前面壁１５は、後述する配線板２０の貫通孔２１を通じて照射された光を通すための表示窓１５１と、配線板２０に取り付けられたスイッチＰを操作するための押圧部１５２と、を有して形成されている。表示窓１５１は、警報器１が組み立てられたときに、貫通孔２１と取付面Ｗとの直交方向に重なるように設けられている。これにより、貫通孔２１を通じて照射された光を室内側の使用者が視認することができる。
【００２１】
配線板２０は、図１、図２に示すように、薄板状かつ外形がケース１０の内形にほぼ沿う形状に形成されている。配線板２０は、取付面Ｗ側において、複数の電子部品３０と、端子台４０と、が実装されている。また、配線板２０は、配線板２０の中心近傍に上下方向に並んで２つ設けられた貫通孔２１を有し、貫通孔２１の下方には、室内側の面に実装されて警報器１を操作するためのスイッチＰが取り付けられている。
【００２２】
配線板２０には、電子部品３０として、変圧器や円筒形コンデンサ等の比較的背の高い高背部品３１と、比較的背の低い表面実装タイプの抵抗器やトランジスタ、ＩＣ等の低背部品（不図示）と、が実装されている。端子台４０は配線板２０の中央やや上方においてケース１０の開口１４から取付面Ｗ側に露出するように実装されている。端子台４０には取付面Ｗの内部から室内側に引き出された信号線等の電線Ｃの端部に取り付けられた端子が接続される。また、配線板２０の取付側の面には、ＬＥＤ等の光源（不図示）が実装され、貫通孔２１から光を室内側に照射することができるように設けられている。
【００２３】
配線板２０の取付面Ｗ側の面において、取付面Ｗ側から見て凹状壁部分１１２の底壁部１１２ｂとの非重複領域（図２に示すＲ１部分）には、複数の電子部品３０の全てが実装されており、底壁部１１２ｂは配線板２０近傍に設けられている。また、取付面Ｗ側から見て凹状壁部分１１２の底壁部１１２ｂとの重複領域（図２に示すＲ２部分）には、電子部品３０が何も実装されていない。
【００２４】
配線板２０に実装された端子台４０は図３〜図５に示すように、警報器１が組み立てられた状態において、開口１４から取付面Ｗ側に露出しており、外壁１１よりも取付面Ｗ側に突出しないように配置されている。すなわち、端子台４０は、凹状壁部分１１２により形成された凹状空間Ｓに配置されている。このとき、図３に示すように、凹状空間Ｓは、端子台４０の周囲に広がっている。なお、本実施形態においては、凹状空間Ｓは端子台４０の下方に広がっているが、端子台４０の周囲であればよく、下方に限定されない。凹状空間Ｓは、端子台４０に接続された電線Ｃの余剰部分などを収容できるように十分大きく形成されている。
【００２５】
次に、警報器１の取り付け方法の一例について説明する。まず、配線板２０をケース本体１０ａに収容し、蓋１０ｂを配線板２０側からケース本体１０ａに嵌合させる。このようにして、警報器１の組み立てが完了する（図３参照。）。このとき、図２に示すように、配線板２０に実装された高背部品３１は凹状壁部分１１２と重ならないように配置されている。次に、取付面Ｗから導出された電線Ｃの端部に固定された端子を警報器１の取付面Ｗ側に露出した端子台４０に接続する。このとき、電線Ｃの余剰部分があれば、例えば、図３に示すように余剰部分を巻き取るなどして、凹状壁部分１１２により取付面Ｗ側に形成された凹状空間Ｓに収容する。最後に、ねじＮを固定部１３の固定穴１３１に挿通させて、警報器１を取付面Ｗに固定する。以上により、警報器１の取付面Ｗへの取り付けが完了する。
【００２６】
本実施形態によれば、複数の電子部品３０と、端子台４０と、が配線板２０の取付面Ｗ側の面に実装され、ケース１０における取付面Ｗ側の面と対向する外壁１１には、配線板２０側に凹む凹状壁部分１１２が設けられ、凹状壁部分１１２の底壁部１１２ｂには、端子台４０が露出される開口１４が形成されている。このことから、警報器１よりも取付面Ｗ側に空間を確保することなく、端子台４０に接続された電線Ｃの余剰部分などを凹状壁部分１１２により取付面Ｗ側に形成された凹状空間Ｓに収容することができ、警報器１の取り付けに必要な取付空間を小さくすることができる。
【００２７】
また、配線板２０の取付面Ｗ側の面において、取付面Ｗ側から見て凹状壁部分１１２の底壁部１１２ｂとの非重複領域（図２に示すＲ１部分）には、複数の電子部品３０の全てが実装されている。このことから、凹状壁部分１１２をより配線板２０近傍まで凹ませて形成することができ、凹状壁部分１１２により取付面Ｗ側に形成される凹状空間Ｓがより大きくなる。従って、端子台４０に接続された電線Ｃの余剰部分などを、凹状壁部分１１２により取付面Ｗ側に形成された凹状空間Ｓに、より確実に収容することができる。
【００２８】
なお、本発明は、前述した実施形態に限定されるものではなく、本発明の目的が達成できる他の構成等を含み、以下に示すような変形例等も本発明に含まれる。
【００２９】
例えば、前記実施形態においては、非重複領域（図２に示すＲ１部分）には、複数の電子部品３０の全てが実装されていたが、取付面Ｗ側から見て凹状壁部分１１２の底壁部１１２ｂとの重複領域（図３に示すＲ２部分）には、複数の電子部品３０のうちの低背部品が実装され、かつ、非重複領域には、高背部品３１を含む複数の電子部品３０が実装されていてもよい。このとき、底壁部１１２ｂは、低背部品と接触しない程度に配線板２０に近づけて設けられている。
【００３０】
また、前記実施形態においては、警報器１はねじＮを用いて取付面Ｗに固定されていたが、取付枠を介して固定されてもよい。このとき、係止爪１２１と係止する係止孔Ｇ１、Ｈ１を有する取付枠Ｇ、Ｈ（それぞれ図５、図６を参照。）を用いることにより、取付面Ｗに警報器１を簡便に取り付けることができる。また、取付枠Ｇ、Ｈに取付面Ｗから室内側に離れて設けられた取付部Ｇ２、Ｈ２を設けることにより、凹状壁部分１１２により取付面Ｗ側に形成された凹状空間Ｓと合わせてより大きな空間を確保することができる。これにより、警報器１と取付面Ｗから導出された電線Ｃとの接続に用いられたコネクタや電線等をより確実に収容することができる。また、従来の警報器（例えば、図８、図９に示す警報器７００）に用いられる取付枠の係止孔に合わせて係止爪１２１を設けることにより、従来の警報器に用いられる取付枠を介して取付面Ｗに取り付けることができる。
【００３１】
また、前記実施形態においては、端子台４０に電線Ｃが接続されていたが、本発明の警報器においては、端子台４０の他に凹状壁部分１１２により形成された空間にコネクタを設けたり、ケース１０の内部から凹状壁部分１１２により形成された空間に電線を導出させたりして、電線Ｃと接続してもよく、電線Ｃとの接続方法は種々変更することができる。このとき、接続に用いられたコネクタや電線を凹状壁部分１１２により形成された空間に収容することにより、警報器１を取り付けるために必要な空間を小さくすることができる。
【００３２】
その他、本発明を実施するための最良の構成、方法などは、以上の記載で開示されているが、本発明は、これに限定されるものではない。すなわち、本発明は、主に特定の実施形態に関して特に図示され、且つ、説明されているが、本発明の技術的思想および目的の範囲から逸脱することなく、以上述べた実施形態に対し、形状、材質、数量、その他の詳細な構成において、当業者が様々な変形を加えることができるものである。
【００３３】
従って、上記に開示した形状、材質などを限定した記載は、本発明の理解を容易にするために例示的に記載したものであり、本発明を限定するものではないから、それらの形状、材質などの限定の一部、もしくは全部の限定を外した部材の名称での記載は、本発明に含まれるものである。
【符号の説明】
【００３４】
１        警報器
１０      ケース
２０      配線板
３０      電子部品
４０      端子台
１１      壁部
１４      開口
１１２    凹状壁部分
Ｗ        取付面
Ｃ        電線
【図１】
2015219704.tif 000003
【図２】
2015219704.tif 000004
【図３】
2015219704.tif 000005
【図４】
2015219704.tif 000006
【図５】
2015219704.tif 000007
【図６】
2015219704.tif 000008
【図７】
2015219704.tif 000009
【図８】
2015219704.tif 000010
【図９】
2015219704.tif 000011